(57)【要約】【課題】コンテンツを通信網からダウンロードする時間が長いとユーザがコンテンツを購入するモチベーションが低下する。【解決手段】情報処理装置であるユーザ端末が記録媒体に格納されたコンテンツを再生している間に、再生対象コンテンツに関連する別コンテンツである関連コンテンツを通信網経由でコンテンツ配信サーバからダウンロードする。再生対象コンテンツの再生が完了した直後に、関連するコンテンツの再生もしくは購入を促進するための通知を行う。こうすればユーザが購入する場合には直ちに関連コンテンツを再生することができるので、ユーザの待ち時間を短縮することができ、関連コンテンツの購入意欲が向上する。【選択図】図１
2006313537.tif 000002
【特許請求の範囲】
【請求項１】
少なくとも１つのコンテンツ及び前記コンテンツに関する情報を格納する記録媒体であって、
前記コンテンツに関する情報は、
前記コンテンツに関連する関連コンテンツの情報を通信網経由で取得するために必要な通信網上のアドレス情報と、
通信網経由で前記関連コンテンツの情報の取得を開始するタイミングを記したタイミング情報とを含む記録媒体。
【請求項２】
少なくとも１つのコンテンツ及び前記コンテンツに関する情報を格納した記録媒体が接続される情報処理装置であって、
通信網と接続し前記コンテンツに関する関連コンテンツの情報及び関連コンテンツを前記記録媒体にダウンロードするための通信処理部と、
前記記録媒体に格納されたコンテンツを再生すると共に、前記コンテンツの再生を終了するまでに前記通信処理部により前記通信網経由で前記関連コンテンツの情報を取得するように制御する制御部と、を具備する情報処理装置。
【請求項３】
前記通信処理部は、
前記通信網経由で前記コンテンツの関連コンテンツの情報を取得するタイミングを、前記記録媒体に格納されたネット情報取得のタイミング情報によって決定する請求項２に記載の情報処理装置。
【請求項４】
前記関連コンテンツは、
前記コンテンツのシリーズとなるコンテンツである請求項２に記載の情報処理装置。
【請求項５】
前記関連コンテンツは、
前記コンテンツと少なくとも１つの共通の属性を有するコンテンツである請求項２に記載の情報処理装置。
【請求項６】
前記制御部は、
コンテンツの再生を終了した直後に、前記関連コンテンツの再生もしくは購入を促す通知を行う請求項２に記載の情報処理装置。
【請求項７】
前記関連コンテンツは、暗号化されたコンテンツである請求項２に記載の情報処理装置。
【請求項８】
少なくとも１つのコンテンツ及び前記コンテンツに関する情報を格納した記録媒体が接続される情報処理装置であって、
通信網と接続し前記コンテンツに関連する関連コンテンツを前記記録媒体にダウンロードするための通信処理部と、
前記記録媒体に格納されたコンテンツを再生すると共に、前記コンテンツの再生を終了するまでに前記通信処理部により前記通信網経由で前記関連コンテンツを取得するように制御する制御部と、を具備する情報処理装置。
【請求項９】
前記通信処理部は、
前記通信網経由で前記関連コンテンツを取得するタイミングを、前記記録媒体に格納されたネット情報の取得タイミング情報によって決定する請求項８に記載の情報処理装置。
【請求項１０】
前記関連コンテンツは、
前記コンテンツのシリーズとなるコンテンツである請求項８に記載の情報処理装置。
【請求項１１】
前記関連コンテンツは、
前記コンテンツと少なくとも１つの共通の属性を有するコンテンツである請求項８に記載の情報処理装置。
【請求項１２】
前記制御部は、
コンテンツの再生を終了した直後に、前記関連コンテンツの再生もしくは購入を促す通知を行う請求項８に記載の情報処理装置。
【請求項１３】
前記記録媒体は前記関連コンテンツに関する情報をあらかじめ格納している請求項８に記載の情報処理装置。
【請求項１４】
前記関連コンテンツは、暗号化されたコンテンツである請求項８に記載の情報処理装置。
【発明の詳細な説明】
【技術分野】
【０００１】
本発明は、音楽・動画・書籍等の電子化されたコンテンツを格納する記録媒体、及びコンテンツを記録・再生する情報処理装置に関する。
【背景技術】
【０００２】
音楽コンテンツや動画コンテンツ、静止画コンテンツなどの各種ディジタルデータ（以下、コンテンツ）を記録する記録媒体には、半導体記録媒体、磁気ディスク、光ディスク、光磁気ディスクなど、様々な種類の媒体が存在する。
【０００３】
このうち特に半導体記録媒体は小型・軽量という特長に加えて、大容量化、高速化、低価格化が近年急速に進んでおり、ディジタルカメラ、携帯電話、携帯音楽プレーヤ、テレビ、ＤＶＤレコーダをはじめとする、様々な機器で利用することが可能となっている。代表的な半導体記録媒体としては、ＳＤ（セキュア  ディジタル）メモリカード、メモリースティック（登録商標）、コンパクトフラッシュ（登録商標）等が挙げられる。
【０００４】
そして、その中でも市場占有率が急速に上昇しているＳＤメモリカード等は著作権保護機能を備えている。この著作権保護機能により、著作権を有するコンテンツの不正コピーを防止し、安全に記録・再生することが可能である。
【０００５】
著作権保護機能を有する半導体記録媒体において実現されているコンテンツの格納方法の一例は次の通りである。
【０００６】
半導体記録媒体は、半導体記録媒体及びホスト機器（再生機あるいは記録機等）間で互いの正当性を認証することによって初めてホスト機器がアクセスできる保護領域と、ホスト機器が自由にアクセスできる通常領域とを備えている。そして、通常領域に暗号化したコンテンツ（以下、暗号化コンテンツという）を記録し、そのコンテンツを暗号化する鍵（以下、コンテンツ鍵という）を保護領域に格納する。このような方法で記録されたコンテンツは、互いの正当性を認証できない不正な機器における再生を禁止することができる。なぜならば、不正な機器はコンテンツ鍵を読み出せないために暗号化コンテンツを復号できないからである。さらに、通常領域に格納されている暗号化コンテンツのみを他の記録媒体にコピーしたとしても、不正な機器はコンテンツ鍵をコピーできないため、コピー先の記録媒体にはコンテンツ鍵が存在しない状態となる。従って、不正にコピーされた暗号化コンテンツの再生を禁止することができる。
【０００７】
従来、著作権保護機能を有する半導体記録媒体に対してこのような格納方法にて格納するコンテンツとしては、ユーザが購入した音楽ＣＤ（コンパクト  ディスク）からリッピングした音楽コンテンツ等が中心であった。
【０００８】
しかし、近年では、半導体記録媒体の著作権保護機能を利用した各種コンテンツに対する応用展開が増大しつつある。
【０００９】
例えば、インターネット網で接続されたパーソナルコンピュータ（以下、ＰＣという）や携帯電話を利用して、コンテンツプロバイダから音楽や書籍などの著作権を有するコンテンツを所要の対価を支払いダウンロードする。そしてダウンロードしたコンテンツを半導体記録媒体に記録し、小型半導体プレーヤや携帯電話端末で半導体記録媒体に格納された音楽コンテンツを楽しむ、或いは書籍コンテンツを読む、ということが可能である。
【００１０】
また、インターネット接続されたＰＣや携帯電話だけでなく、コンビニエンスストアや、所定の店舗、駅などの特定の場所に設置してある電子端末（ＫＩＯＳＫ端末）においてコンテンツを購入することが可能である。これらの応用展開はユーザにとっても利便性が高く、コンテンツプロバイダにとっても様々な販売網が広がることから、今後も益々様々なコンテンツや利用環境が普及していくと予想される。
【００１１】
特許文献１には、コンテンツの流通をより容易にするためのコンテンツ流通システムの管理装置、閲覧用装置、プログラム及び方法が示されている。
【特許文献１】特開２００４−９４６７７号公報
【発明の開示】
【発明が解決しようとする課題】
【００１２】
しかし、インターネット網などの通信網からコンテンツをダウンロードして再生する場合、ダウンロードが完了するまでに一定の時間が必要となる。ダウンロードの時間は通信網の転送速度向上に伴い短縮されるが、大容量で高品質（高ビットレートの動画・音楽等）のコンテンツになるほど長くなるものである。
【００１３】
ダウンロードの時間はユーザにとっては待ち時間となるため、長くなればなるほどコンテンツを取得することに対するユーザのモチベーションは低下し、コンテンツプロバイダにとっては販売機会を失う可能性が高まる。逆に、待ち時間を短縮するためにコンテンツの品質を落としたとしても、ユーザのコンテンツに対する興味が低下するため同様の問題が発生する。
【００１４】
例えば、ユーザが既に記録媒体に格納されているコンテンツを情報処理装置にて視聴し、ユーザはこのコンテンツの内容に満足したとする。そして、ユーザにはコンテンツの続編となるコンテンツ（以下、続編コンテンツという）も視聴したいという欲求が生じたものとする。
【００１５】
このとき、ユーザは通信網経由で続編コンテンツを確認し、所望の続編コンテンツをダウンロードし、続編コンテンツに対する対価を支払えば、続編コンテンツを視聴することができる。しかしこの待ち時間をユーザが許容できなければ、コンテンツプロバイダは販売機会を失うことになる。
【００１６】
本発明では上記問題点を鑑み、視聴したコンテンツに関連するコンテンツを通信網から容易に入手できるようにした記録媒体、情報処理装置及び情報処理システムを提供することを目的とする。
【課題を解決するための手段】
【００１７】
この課題を解決するため、本発明の記録媒体は、少なくとも１つのコンテンツ及び前記コンテンツに関する情報を格納する記録媒体であって、前記コンテンツに関する情報は、前記コンテンツに関連する関連コンテンツの情報を通信網経由で取得するために必要な通信網上のアドレス情報と、通信網経由で前記関連コンテンツの情報の取得を開始するタイミングを記したタイミング情報とを含むものである。
【００１８】
この課題を解決するため、本発明の情報処理装置は、少なくとも１つのコンテンツ及び前記コンテンツに関する情報を格納した記録媒体が接続される情報処理装置であって、通信網と接続し前記コンテンツに関する関連コンテンツの情報及び関連コンテンツを前記記録媒体にダウンロードするための通信処理部と、前記記録媒体に格納されたコンテンツを再生すると共に、前記コンテンツの再生を終了するまでに前記通信処理部により前記通信網経由で前記関連コンテンツの情報を取得するように制御する制御部と、を具備するものである。
【００１９】
この課題を解決するため、本発明の情報処理装置は、少なくとも１つのコンテンツ及び前記コンテンツに関する情報を格納した記録媒体が接続される情報処理装置であって、通信網と接続し前記コンテンツに関連する関連コンテンツを前記記録媒体にダウンロードするための通信処理部と、前記記録媒体に格納されたコンテンツを再生すると共に、前記コンテンツの再生を終了するまでに前記通信処理部により前記通信網経由で前記関連コンテンツを取得するように制御する制御部と、を具備するものである。
【００２０】
ここで前記通信処理部は、前記通信網経由で前記関連コンテンツを取得するタイミングを、前記記録媒体に格納されたネット情報の取得タイミング情報によって決定するようにしてもよい。
【００２１】
ここで前記関連コンテンツは、前記コンテンツのシリーズとなるコンテンツとしてもよい。
【００２２】
ここで前記関連コンテンツは、前記コンテンツと少なくとも１つの共通の属性を有するコンテンツとしてもよい。
【００２３】
ここで前記制御部は、コンテンツの再生を終了した直後に、前記関連コンテンツの再生もしくは購入を促す通知を行うようにしてもよい。
【００２４】
ここで前記記録媒体は前記関連コンテンツに関する情報をあらかじめ格納しているようにしてもよい。
【００２５】
ここで前記関連コンテンツは、暗号化されたコンテンツとしてもよい。
【発明の効果】
【００２６】
本発明による記録媒体、情報処理装置及び情報処理システムを用いれば、コンテンツ再生中にコンテンツの関連コンテンツの情報を得たりダウンロードできるため、コンテンツの再生終了直後に、関連コンテンツ内容を確認したり再生もしくは購入ができる。従って、コンテンツプロバイダにとっては販売機会を増加することができる。
【発明を実施するための最良の形態】
【００２７】
（実施の形態１）
以下、本発明の実施の形態１を図面に基づいて詳細に説明する。図１は、本発明の実施の形態１によるコンテンツ配信システムの構成を示す図である。本実施の形態によるコンテンツ配信システムは、記録媒体１００とユーザ端末（情報処理装置）２００から構成されるユーザ環境と、通信網３００と、コンテンツ管理サーバ４００と、コンテンツ配信サーバ５００と、課金処理サーバ６００とを含んでいる。
【００２８】
ユーザ端末２００は、通信網３００を介してコンテンツ管理サーバ４００、コンテンツ配信サーバ５００、課金処理サーバ６００の各々と直接もしくは間接的に接続されており、データの送受信が可能である。また、
ユーザ端末２００は、本コンテンツ配信システムを利用するユーザ毎に用意される。
【００２９】
ユーザ端末２００において、コンテンツは記録媒体１００に格納されるものとする。
記録媒体１００は、データの読み書きが可能な蓄積メディアであり、ユーザ端末２００に着脱可能であってもよく、内蔵されていてもよい。例えば内蔵された半導体記録媒体やハードディスク、着脱自在のＤＶＤ等の光ディスク、半導体メモリカードなどが相当する。
【００３０】
ユーザ端末２００は、通信網３００と接続可能な情報処理装置であり、例えばＰＣや携帯電話などが該当する。ユーザ端末２００は記録媒体１００にコンテンツを格納する機能や、記録媒体１００に格納されたコンテンツを再生する機能を備えている。
【００３１】
通信網３００は、ユーザ端末２００、コンテンツ管理サーバ４００、コンテンツ配信サーバ５００、課金処理サーバ６００の各々を直接もしくは間接的に接続する網であり、例えばインターネット網や電話回線網などが該当する。
【００３２】
コンテンツ管理サーバ４００は、コンテンツ情報データベース（以下、コンテンツ情報ＤＢという）４１０を備えており、各コンテンツに関する情報を管理している。
【００３３】
コンテンツ配信サーバ５００は、暗号化コンテンツデータベース（以下、暗号化コンテンツＤＢ）５１０を備えており、各コンテンツを各々に対応するコンテンツ鍵で暗号化した暗号化コンテンツを少なくとも１つ格納している。暗号化コンテンツＤＢ５１０には、少なくとも各暗号化コンテンツをコンテンツＩＤによって識別する機能が備わっているものとする。
【００３４】
課金処理サーバ６００は、コンテンツ鍵データベース（以下、コンテンツ鍵ＤＢ）６１０と購入履歴データベース（以下、購入履歴ＤＢ）６２０を備えている。コンテンツ鍵ＤＢ６１０は情報と各コンテンツを暗号化しているコンテンツ鍵を少なくとも１つ格納している。
【００３５】
次に、ユーザ環境を構成しているユーザ端末２００及び記録媒体１００の内部構成について説明する。図２は、ユーザ端末２００の内部構成を示す機能ブロック図である。ユーザ端末２００は、制御部２１０、記録媒体装着部２２０、通信処理部２３０、ユーザ入力部２４０、ユーザ通知部２５１、２５２、デコーダＬＳＩ２６０、暗復号ＬＳＩ２７０を含んでいる。
【００３６】
制御部２１０は、ユーザ端末２００の動作を制御する部分である。本実施の形態においては、少なくとも、ユーザ端末２００が記録媒体１００に格納されたコンテンツを再生するために必要な制御と、ユーザ端末２００が通信網３００を介してコンテンツに関する情報及び関連コンテンツを取得し、関連コンテンツを購入するために必要な制御と、を行う機能を備えている。制御部２１０は、物理的には、ＣＰＵと、制御のためのプログラム（ソフトウェア）を格納するためのＲＯＭと、プログラムを実行するために必要なＲＡＭとを含んでいる。制御部２１０は、機能的には、コンテンツの再生に必要な処理を実行する再生処理部２１１と、コンテンツの購入に必要な処理を実行する購入処理部２１２と、記録媒体１００への読み書きを実行するＲ／Ｗ処理部２１３と、ユーザ端末２００に含まれるデコーダＬＳＩ２６０などのハードウェアを制御するＨＷドライバ２１４とを含んでいる。
【００３７】
記録媒体装着部２２０は、記録媒体１００を装着する部分、例えばスロットであり、装着された記録媒体１００にアクセスする機能を備えている。
【００３８】
通信処理部２３０は、通信網３００と接続されており、通信網３００を介した各種サーバとのデータの授受を行う部分であり、本実施の形態においてはモデムである。
【００３９】
ユーザ入力部２４０は、ユーザから入力される情報を取得する部分であり、本実施の形態においてはボタン及びタッチパネルである。
【００４０】
ユーザ通知部２５１、２５２は、ユーザへの通知を画像及び音声により行う部分であり、本実施の形態においては夫々液晶表示装置及びスピーカである。
【００４１】
デコーダＬＳＩ２６０は、デコード処理をハードウェアで実現するものである。一般的にコンテンツは格納時や転送時のサイズを小さくするために符号化された状態で存在する。再生対象のコンテンツ（以下、再生対象コンテンツという）が符号化されている場合には、再生時にデコード処理が必要となる。本実施の形態においてはデコード処理をハードウェア（ＬＳＩ）によって実行するものとする。なお、ソフトウェアでデコードする場合やコンテンツがエンコードされていない場合には、デコーダＬＳＩ２６０は不要である。
暗復号ＬＳＩ２７０は、エンクリプト処理及びデクリプト処理をハードウェアで実現するものである。一般的に著作権のあるコンテンツは不正コピーを防止するためにコンテンツ鍵によって暗号化された状態で存在する。再生対象コンテンツが暗号化されている場合には、再生時にデクリプト処理が必要となる。また、デクリプトしたコンテンツを別のエンクリプト方式でエンクリプト処理して記録媒体１００に格納する場合も考えられる。なお、ソフトウェアで行う場合やコンテンツがエンクリプトされていない場合には、暗復号ＬＳＩ２７０は不要である。
【００４２】
図３は、本実施の形態における記録媒体１００の内部構成例を示す図である。記録媒体１００は、ホストインターフェイス１１０、制御部１２０、メモリ部１３０を含んでいる。
【００４３】
ホストインターフェイス１１０は、記録媒体１００のホスト機器であるユーザ端末２００とデータの送受信をする機能を備えている。
【００４４】
制御部１２０は、記録媒体１００の内部制御を行う機能を備え、ユーザ端末２００から受信した読出しや書込みのコマンドを解釈し、メモリ部１３０へのアクセスを行う。必要に応じてその結果をホストインターフェイス部１１０経由でユーザ端末２００に通知する処理を行うものである。制御部１２０は、物理的には、ＣＰＵと、制御のためのプログラム（ソフトウェア）を格納するためのＲＯＭと、プログラムを実行するために必要なＲＡＭとを含んでいる。制御部１２０は、機能的には、ユーザ端末２００からのコマンドを解釈し実行するコマンド処理部１２１と、ユーザ端末２００がデータの読出しや書込みの際に指定する論理的なアドレスをメモリ部１３０における物理的なアドレスに変換する論物変換処理部１２２と、メモリ部１３０へのアクセスを行う記録領域アクセス部１２３とを含んでいる。
【００４５】
メモリ部１３０は、データを格納する機能を備えており、本実施の形態においてはフラッシュメモリ等の不揮発性メモリで構成されている。また、メモリ部１３０は、検索情報格納領域１３１とデータ領域１３２とを備えている。
データ領域１３２は、任意のデータを格納する領域である。また、
検索情報格納領域１３１は、データ領域１３２に格納された各データをユーザ端末２００が取り出す際に必要となる情報（アドレスやサイズなど）を格納する領域である。本実施の形態では、各データはＦＡＴファイルシステムによって管理され、ＦＡＴファイルシステムにおいて必要となる情報（ファイルシステム管理情報）を格納した領域が検索情報格納領域１３１である。
従って、記録媒体１００に格納されるデータはファイルとしてアクセスすることが可能である。
【００４６】
次に、図４を用いて本実施の形態によるコンテンツの格納方法を説明する。図４においてメモリ部１３０は、Ｎ個のコンテンツを各々暗号化した状態で個別のファイル、即ち暗号化コンテンツ＃１ファイル、暗号化コンテンツ＃２ファイル、・・・、暗号化コンテンツファイル＃Ｎファイルとして格納する。
【００４７】
さらに、メモリ部１３０は各暗号化コンテンツファイルに関する情報をコンテンツ情報ファイルとして格納する。
コンテンツ情報ファイルは、メモリ部１３０に格納されたＮ個のコンテンツ全体に関するコンテンツ全体情報とＮ個の各コンテンツに関する情報、即ちコンテンツ＃１情報、コンテンツ＃２情報、・・・、コンテンツ＃Ｎ情報とを格納している。
【００４８】
このコンテンツ全体情報は、例えば、メモリ部１３０に格納されているコンテンツ数を示す総コンテンツ数（＝Ｎ）、メモリ部１３０に格納されているコンテンツを全て再生した場合に要する時間である総再生時間、コンテンツを再生する順番を記述したプレイリスト、前回再生したコンテンツを示す情報、などである。
【００４９】
コンテンツ＃ｉ情報（ｉはＮ以下の自然数）は、例えば、コンテンツＩＤ、該コンテンツに関する情報を通信網３００経由で取得する場合のタイミングを記述したタイミング情報、該コンテンツに関する情報を通信網３００経由で取得する場合の取得先アドレス（ＵＲＬなど）、該コンテンツを復号するためのコンテンツ鍵、などである。
【００５０】
次にコンテンツ管理サーバ４００に設けられるコンテンツ情報ＤＢ４１０について説明する。図５はこのＤＢ４１０の一例を示す。このＤＢ４１０に格納されているコンテンツに関する情報とは、例えば、コンテンツを識別するためにコンテンツ毎にユニークに付与された値であるコンテンツＩＤ、該コンテンツの種別（音楽・映画・ドラマ・書籍・静止画など）を識別するためのコンテンツ種別、該コンテンツの名前であるコンテンツ名、該コンテンツの関連コンテンツのコンテンツＩＤである関連コンテンツＩＤ、などである。各コンテンツＩＤに対応して、コンテンツ種別、コンテンツ名及び関連コンテンツＩＤが格納されている。コンテンツの内容を示すサムネイルを含む場合もある。本発明において関連コンテンツＩＤは特に重要である。
【００５１】
関連コンテンツとは各コンテンツに関連するコンテンツであるが、その具体例を以下に示す。
【００５２】
（１）ドラマや連続漫画などのシリーズ化されたコンテンツ群における該コンテンツ以外のコンテンツ。特に、該コンテンツに後続するコンテンツ（前述の続編コンテンツ）、前作のコンテンツ。
【００５３】
（２）該コンテンツと何らかの共通の属性を有するコンテンツ。例えば、同一アーティストが作成した最新の音楽コンテンツ、同一監督が作成した有名な映画コンテンツ、同一出版社が販売しているベストセラーとなっている書籍コンテンツ、ジャンルが同一である音楽コンテンツ、同一俳優が主演するドラマコンテンツ、該コンテンツを購入したユーザが購入している別コンテンツのうち割合の高いコンテンツ、及び該コンテンツと同一のグループに属するコンテンツ。例えばアルバムとして提供される楽曲コンテンツ群における該コンテンツ以外のコンテンツ。
【００５４】
関連コンテンツが存在しない場合には、関連コンテンツＩＤとして無効を意味する値を格納しておくものとする。また、該コンテンツに対する関連コンテンツは１つでもよく、複数個存在していてもよい。複数個存在する場合には、各関連コンテンツの優先度が決められていることが望ましい。
【００５５】
次に課金処理サーバ６００に含まれる購入履歴ＤＢ６２０について、図６を用いて説明する。このＤＢ６２０には、ユーザがコンテンツを購入したことに対して対価を請求するために必要な情報が格納されている。図６は、ＤＢ６２０に格納されているデータの例であり、履歴の識別子である履歴番号、ユーザの識別子であるユーザＩＤ、ユーザが購入したコンテンツのコンテンツＩＤ、購入日時、購入した価格、等のデータが格納されている。コンテンツ鍵ＤＢ６１０には、少なくとも暗号化コンテンツを復号するためのコンテンツ鍵をコンテンツＩＤによって識別する機能が備わっている。
【００５６】
以下、本実施の形態のコンテンツ配信システムにおいて、購入から再生までの一連の動作を説明する。まず、図７Ａ，図７Ｂを使って本実施の形態の前提となるコンテンツ配信システムの動作を説明する。ユーザ端末２００の記録媒体装着部２２０には記録媒体１００が装着されており、記録媒体１００には図４に示した形式でＮ個のコンテンツが既に格納されている。ユーザ端末２００はユーザ通知部２５１、２５２経由で、ユーザに対して記録媒体１００にどんなコンテンツが格納されているのかを通知する。ユーザはＮ個のコンテンツのうち、再生対象コンテンツを選択する。再生対象コンテンツの情報はユーザ入力部２４０経由で制御部２１０に通知され、制御部２１０の再生処理部２１１は選択されたコンテンツの再生処理を開始する（ステップＳ１）。このとき再生処理部２１１は、Ｒ／Ｗ処理部２１３経由で記録媒体１００に格納されている再生対象コンテンツに対応するコンテンツ情報を取得し、そこから再生に必要なコンテンツ鍵を取得する。さらに、再生処理部２１１は、ＨＷドライバ２１４経由でデコーダＬＳＩ２６０や暗復号ＬＳＩ２７０やユーザ通知部２５１、２５２を操作してデコード処理やデクリプト処理や出力を行う。
【００５７】
再生対象コンテンツの再生が終了したら処理を終了する（ステップＳ２）。
【００５８】
その後、もしユーザがユーザ入力部２４０経由で再生を終えたコンテンツの関連コンテンツ情報を要求したとすると、ユーザ端末２００は関連コンテンツの情報を入手する。即ち
、ユーザ端末２００は通信処理部２３０経由でコンテンツ管理サーバ４００に対して再生を終えたコンテンツのコンテンツＩＤを送信し、そのコンテンツの関連コンテンツの情報を要求する（ステップＳ３）。コンテンツ管理サーバ４００はコンテンツ情報ＤＢ４１０を検索して再生対象コンテンツの関連コンテンツの情報を取得し、ユーザ端末２００に転送する（ステップＳ４）。
【００５９】
ユーザ端末２００はステップＳ４で取得した関連コンテンツの情報をユーザ通知部２５１、２５２経由でユーザに通知する。関連コンテンツが記録媒体１００に格納されていない場合には、コンテンツの購入を促す通知をユーザ通知部２５１、２５２経由でユーザに対して行う（ステップＳ５）。
【００６０】
その後、もしユーザがユーザ入力部２４０経由で関連コンテンツを選択して購入を要求したとすると、
ユーザ端末２００は関連コンテンツの購入処理を行う。即ち通信処理部２３０経由でコンテンツ配信サーバ５００に対してこの関連コンテンツＩＤを送信し、関連コンテンツの暗号化コンテンツファイルの転送を要求する（ステップＳ６）。コンテンツ配信サーバ５００は暗号化コンテンツＤＢ５１０を検索して関連コンテンツの暗号化コンテンツファイルを取得し、ユーザ端末２００に転送する（ステップＳ７）。暗号化コンテンツファイルは図４で説明した形式で記録媒体１００に格納される。
【００６１】
次に、ユーザ端末２００の購入処理部２１２は通信処理部２３０経由で課金処理サーバ６００に対して関連コンテンツＩＤ及びユーザＩＤなどを送信し、関連コンテンツの購入を要求する（ステップＳ８）。課金処理サーバ６００は購入履歴ＤＢ６２０に購入の履歴を登録することで課金処理を行う（ステップＳ９）。そして、コンテンツ鍵ＤＢ６１０を検索して関連コンテンツのコンテンツ鍵を取得し、ユーザ端末２００に転送する（ステップＳ１０）。コンテンツ鍵は図４で説明した形式で記録媒体１００に格納される。
【００６２】
ユーザ端末２００はステップＳ７で取得した関連コンテンツをステップＳ１０で取得したコンテンツ鍵を用いて復号化することで再生を行う（ステップＳ１１）。
【００６３】
以上のように、図７Ａ，図７Ｂに示すコンテンツ処理では、ユーザが関連コンテンツの購入を要求した後に暗号化された関連コンテンツ及びコンテンツ鍵を転送していた。従って、関連コンテンツのファイルサイズが大きくなればなるほど、ユーザが関連コンテンツの購入を決定してから再生するまでに長い時間待たされることになっていた。
【００６４】
次に、図８Ａ，図８Ｂを使って本発明の実施の形態によるコンテンツ配信システムの動作を説明する。ユーザ端末２００の記録媒体装着部２２０には記録媒体１００が装着されており、記録媒体１００には図４に示した形式でＮ個のコンテンツが既に格納されている。ユーザ端末２００はユーザ通知部２５１、２５２経由でユーザに対して記録媒体１００にどんなコンテンツが格納されているのかを通知する。ユーザはＮ個のコンテンツのうち、再生の対象となる１つのコンテンツを選択する。再生対象コンテンツの情報はユーザ入力部２４０経由で制御部２１０に通知され、制御部２１０の再生処理部２１１は再生の対象となったコンテンツの再生処理を開始する（ステップＳ１）。このとき再生処理部２１１は、Ｒ／Ｗ処理部２１３経由で記録媒体１００に格納されている再生対象コンテンツに対応するコンテンツ情報を取得し、そこから再生に必要なコンテンツ鍵を取得する。さらに、再生処理部２１１は、ＨＷドライバ２１４経由でデコーダＬＳＩ２６０や暗復号ＬＳＩ２７０やユーザ通知部２５１、２５２を操作してデコード処理や復号化処理や出力を行う。
【００６５】
再生処理開始後に、ユーザ端末２００は通信処理部２３０経由でコンテンツ管理サーバ４００に対して再生対象コンテンツのコンテンツＩＤを送信し、再生対象コンテンツの関連コンテンツの情報を要求する（ステップＳ２）。関連コンテンツの情報を要求するタイミングは、コンテンツの再生と同時であってもよいが、本実施の形態では該コンテンツのコンテンツ情報に含まれるネット情報の取得を開始するためのタイミング情報に従うものとする。このタイミング情報の具体例としては、コンテンツ再生開始の所定時間（例えば３分）後、コンテンツ全体のうち最初の一部分、（例えば１０％）の再生を終了したタイミング、コンテンツデータの最初のｎフレーム（ｎは例えば２０００）の再生を終了したタイミングなどが挙げられる。常に再生開始直後に通信網から情報を取得するのではなくて、このタイミング情報によって情報取得のタイミングを遅らせることで、必要以上の通信網への負荷を軽減することができる。コンテンツ管理サーバ４００のアドレスはコンテンツ情報のネット情報の取得アドレスを参照する。
【００６６】
さてこの要求を受けると、コンテンツ管理サーバ４００はコンテンツ情報ＤＢ４１０を検索する。そして再生対象コンテンツの関連コンテンツに関する情報を取得し、再生後にユーザが購入するかどうかを判断できるようにあらかじめユーザ端末２００に転送する（ステップＳ３）。
【００６７】
さらに、ユーザ端末２００は通信処理部２３０経由でコンテンツ配信サーバ５００に対して関連コンテンツＩＤを送信し、関連コンテンツの暗号化コンテンツファイルの転送を要求する（ステップＳ４）。コンテンツ配信サーバ５００のアドレスはネット情報取得アドレスを参照する。コンテンツ配信サーバ５００は暗号化コンテンツＤＢ５１０を検索して関連コンテンツの暗号化コンテンツファイルを取得し、ユーザ端末２００に転送する（ステップＳ５）。転送された暗号化コンテンツファイルは図４で説明した形式で記録媒体１００に格納される。
【００６８】
ユーザ端末２００はコンテンツの再生が終了したら、ステップＳ３で取得した関連コンテンツの情報をユーザ通知部２５１、２５２を介して画像や音声でユーザに通知する。このとき関連コンテンツが未購入の場合には、コンテンツの購入を促す通知も行う（ステップＳ６）。図９にユーザ通知部２５１の表示例を示す。図９の例では３つの関連コンテンツの情報が表示されており、そのうち１つは購入済みであり、残りの２つは未購入である。
【００６９】
その後、もしユーザがユーザ入力部２４０経由でいずれかの関連コンテンツの購入を要求したとすると、
ユーザ端末２００は購入処理を行う。即ち購入処理部２１２は通信処理部２３０経由で課金処理サーバ６００に対して選択された関連コンテンツＩＤ及びユーザＩＤなどを送信し、関連コンテンツの購入を要求する（ステップＳ７）。課金処理サーバ６００のアドレスはネット情報取得アドレスを参照する。課金処理サーバ６００は購入履歴ＤＢ６２０に購入の履歴を登録することで課金処理を行う（ステップＳ８）。そして、コンテンツ鍵ＤＢ６１０を検索して関連コンテンツのコンテンツ鍵を取得し、ユーザ端末２００に転送する（ステップＳ９）。このコンテンツ鍵は図４で説明した形式で記録媒体１００に格納される。
【００７０】
ユーザ端末２００はステップＳ５で取得した関連コンテンツのうちの１つをステップＳ９で取得したコンテンツ鍵を用いてデクリプトして再生する（ステップＳ１０）。ステップＳ９でコンテンツ鍵を取得した時点では、ステップＳ５の関連コンテンツのダウンロードが完了していない場合も考えられる。これは関連コンテンツのサイズが非常に大きかったり、最初に再生したコンテンツの再生時間が短い場合などである。この場合には関連コンテンツのダウンロードが完了するのを待ってから関連コンテンツの再生を行ってもよく、関連コンテンツをダウンロードしながら関連コンテンツの再生を開始してもよい。
【００７１】
上述した本実施の形態によるコンテンツ配信システムの動作において、特にユーザ端末２００の内部処理シーケンスを図１０Ａ，図１０Ｂに示す。
【００７２】
ステップＳ２１で、再生対象コンテンツのコンテンツ情報を取得し、その再生処理を開始する。ステップＳ２２で、ネット情報の取得タイミングか否かを判定して「ＹＥＳ」であれば、ステップＳ２３に進む。
【００７３】
ステップＳ２３で、再生対象コンテンツのＩＤをコンテンツ管理サーバ４００に送信し、ステップＳ２４でコンテンツ管理サーバから関連コンテンツの情報を受信する。
【００７４】
ステップＳ２５で、関連コンテンツがダウンロード（ＤＬ）済みか否かを判断する。これが「ＹＥＳ」であればステップＳ２７に進み、「ＮＯ」であればステップＳ２６に進む。ステップＳ２６では、コンテンツ配信サーバ５００から関連コンテンツのダウンロードを開始する。
【００７５】
ステップＳ２７で、再生対象コンテンツの再生が終了したか否かを判断して「ＹＥＳ（完了）」であれば、ステップＳ２８に進む。ステップＳ２８で、関連コンテンツの再生または購入を促す表示をする。次にステップＳ２９で、ユーザが再生または購入するか否かを判断して、「ＹＥＳ（再生または購入）」であればステップＳ３０に進み、「ＮＯ」であれば処理を終了する。
【００７６】
ステップＳ３０で、このコンテンツが未購入かどうかを判定する。未購入の場合にはステップＳ３１で課金処理の実行を行い、購入済みであればこの処理を行うことなくステップＳ３２に進む。ステップＳ３２では関連コンテンツのダウンロードが終了しているか否かを判断し、「ＹＥＳ（ＤＬ終了）」であればステップＳ３３に進み、「ＮＯ」であればダウンロードを継続する。
【００７７】
ステップＳ３３で再生コンテンツを新たに再生対象コンテンツに設定し、ステップＳ２１に戻り、再生対象コンテンツを再生する。
【００７８】
以上のように、本実施の形態によるコンテンツ配信システムでは、ユーザが再生対象コンテンツを再生している最中に、その関連コンテンツのダウンロードを平行して行っている。そのため、ユーザが関連コンテンツの購入を要求した時点で既に関連コンテンツの暗号化コンテンツファイルの全てもしくは一部がダウンロード済であるため、ユーザが関連コンテンツを購入してから再生するまでの待ち時間を大幅に短縮することが可能である。本発明は、通信網を介したコンテンツ配信システムにおいて特に有効である。
【００７９】
なお、本発明を上記実施の形態に基づいて説明してきたが、本発明は上記実施の形態に限定されないのはもちろんである。本発明の趣旨を逸脱しない範囲で実施変更することができる。以下のような場合も本発明に含まれる。
【００８０】
（１）本実施の形態においては、検索情報格納領域においてＦＡＴファイルシステムを用いることにしたが、ＦＡＴ３２やＵＤＦ（ユニバーサル  ディスク  フォーマット）などの他のファイルシステムを利用してもよいし、ファイルシステムを使わずにサイズや記録アドレス等を管理してもよい。
【００８１】
（２）本実施の形態においては、コンテンツ及びそれに関する情報を図４に示す形式にて格納するものとしたが、この形式は一例であり様々な変形例が考えられる。
【００８２】
例えば、コンテンツ情報ファイルを複数のファイルに分割したり、項目を増減させたり、順序を入れ替えてもよいのはもちろんである。
【００８３】
特にコンテンツ鍵のような秘匿性の高い情報は別ファイルとして管理した方が著作権保護の面で都合のよい場合がある。例えば記録媒体１００がＳＤメモリカードの場合、コンテンツ鍵を格納したファイルは保護領域に格納する方法が考えられる。
【００８４】
さらに、図４の例では１つのコンテンツは１つの暗号化コンテンツファイルとして記録媒体上に格納されていたが、図１１の例に示すように１つのコンテンツが複数の暗号化コンテンツファイル（＃１−１）〜（＃１−Ｍ）として分割して格納してもよい。
【００８５】
関連コンテンツが複数の暗号化コンテンツファイルに分割されている場合、ダウンロードが完了した暗号化コンテンツファイルから順に再生を行うようにすれば、サイズの大きな関連コンテンツをダウンロードした場合であっても、再生開始までの待ち時間を短縮することが可能である。
【００８６】
（３）本実施の形態においては、コンテンツ管理サーバ４００、コンテンツ配信サーバ５００、課金処理サーバ６００などの通信網３００上での位置（アドレス）はコンテンツ情報ファイル内のネット情報取得先アドレスに予め格納されているものとしたが、別の方法でユーザ端末２００がこれらのアドレスを取得する方法を有している場合や、常に固定的なアドレスが保証されている場合にはこの取得先アドレスを使用しなくてもよい。
【００８７】
（４）本実施の形態においては、あるコンテンツに対する関連コンテンツＩＤや関連コンテンツの情報は通信処理部２３０経由でコンテンツ管理サーバ４００から取得していた。これに代えて、コンテンツ情報ファイルの中に関連コンテンツＩＤを格納しておいてもよく、図１２に示すようにＩＤを含めた関連コンテンツの情報を格納しておき、これを利用してもよい。記録媒体１００内に格納した関連コンテンツＩＤの情報が含まれていればユーザ端末２００が通信網３００に接続されていないときであっても関連コンテンツの情報を表示することができる。
【００８８】
この場合、ユーザ端末２００が通信網３００に接続されているときに、通信処理部２３０経由でコンテンツ管理サーバ４００から関連コンテンツの情報を取得し、これを記録媒体１００内に格納又は上書きしておく。これによって最新の関連コンテンツの情報を表示できる。
【００８９】
（５）本実施の形態においては、あるコンテンツの再生中に関連コンテンツをダウンロードし、これをユーザが購入した場合の例について記述したが、ダウンロードされた関連コンテンツをユーザが購入しなかった場合には、即座に消去してもよいし、購入の関連コンテンツが一定の記憶容量分を超える場合に、消去するようにしてもよい。この場合に関連コンテンツを選択する方法として、例えば下記のような方法が考えられる。
【００９０】
（ａ）関連コンテンツのダウンロード日時の古いものから順に選択する。
（ｂ）再生日時の古いコンテンツの関連コンテンツから順に選択する。
（ｃ）１つの再生したコンテンツに対して複数の関連コンテンツが存在する場合、その中でも最も関連性の低いものから順に選択する。
（ｄ）関連コンテンツのサイズ順に選択する。
（ｅ）関連コンテンツが複数の再生したコンテンツから参照されている場合に、参照数の最も少ないものから順に選択する。
（ｆ）再生したコンテンツの優先度（例えばユーザが指定したお気に入り度や再生頻度）の低いコンテンツの関連コンテンツから順に選択する。
（ｇ）上記の方法の組合せにより選択する。
【００９１】
（６）更に本実施の形態においては、あるコンテンツの再生中に関連コンテンツのダウンロードを開始しているが、関連コンテンツ自体は転送せず関連コンテンツ情報のみを転送するようにしてもよい。こうすれば再生対象コンテンツの再生が終了した時点で直ちに図９に示すような関連コンテンツの情報を表示することができる。この場合にはユーザが関連コンテンツの購入を決定すると、その関連コンテンツの転送をコンテンツ配信サーバに要求し、関連コンテンツの転送を受ける必要がある。
【産業上の利用可能性】
【００９２】
本発明にかかる記録媒体、情報処理装置及び情報処理システムは、コンテンツの再生中に少なくともコンテンツの関連コンテンツに関する情報を入手しておくことによって、ダウンロード中の待ち時間を短縮することができ、映像や音声、各種データのダウンロードが必要な各種機器やシステムにおいて有用である。
【図面の簡単な説明】
【００９３】
【図１】本発明の実施の形態１によるコンテンツ配信システムの構成例を示したブロック図
【図２】実施の形態１によるユーザ端末の内部構成例を示したブロック図
【図３】実施の形態１による記録媒体の内部構成例を示したブロック図
【図４】実施の形態１による記録媒体のデータ構造例を示した概念図
【図５】実施の形態１によるコンテンツ管理サーバのコンテンツ情報ＤＢに格納されたデータの一例を示した概念図
【図６】実施の形態１による課金処理サーバの購入履歴ＤＢに格納されたデータの一例を示した概念図
【図７Ａ】実施の形態１の前提となるコンテンツ配信システムのコンテンツ購入及び再生の手順の一例を示した概念図
【図７Ｂ】実施の形態１の前提となるコンテンツ配信システムのコンテンツ購入及び再生の手順の一例を示した概念図
【図８Ａ】実施の形態１によるコンテンツ配信システムのコンテンツ購入及び再生の手順の一例を示した概念図
【図８Ｂ】実施の形態１によるコンテンツ配信システムのコンテンツ購入及び再生の手順の一例を示した概念図
【図９】実施の形態１によるユーザ端末の表示画面の一例を示した概念図
【図１０Ａ】実施の形態１によるユーザ端末のコンテンツ取得及び購入及び再生の手順の一例を示したフローチャート
【図１０Ｂ】実施の形態１によるユーザ端末のコンテンツ取得及び購入及び再生の手順の一例を示したフローチャート
【図１１】本発明の他の実施の形態による記録媒体のデータ構造例を示した概念図
【図１２】本発明の他の実施の形態による記録媒体のデータ構造例を示した概念図
【符号の説明】
【００９４】
１００  記録媒体
１１０  ホストインターフェイス
１２０  制御部
１２１  コマンド処理部
１２２  論物変換処理部
１２３  記録領域アクセス部
１３０  記録領域
１３１  検索情報格納領域
１３２  データ領域
２００  ユーザ端末
２１０  制御部
２１１  再生処理部
２１２  購入処理部
２１３  Ｒ／Ｗ処理部
２１４  ＨＷドライバ
２２０  記録媒体装着部
２３０  通信処理部
２４０  ユーザ入力部
２５１  ユーザ通知部
２５２  ユーザ通知部
２６０  デコーダＬＳＩ
２７０  暗復号ＬＳＩ
３００  通信網
４００  コンテンツ管理サーバ
４１０  コンテンツ情報ＤＢ
５００  コンテンツ配信サーバ
５１０  暗号化コンテンツＤＢ
６００  課金処理サーバ
６１０  コンテンツ鍵ＤＢ
６２０  購入履歴ＤＢ
【図１】
2006313537.tif 000003
【図２】
2006313537.tif 000004
【図３】
2006313537.tif 000005
【図４】
2006313537.tif 000006
【図５】
2006313537.tif 000007
【図６】
2006313537.tif 000008
【図７Ａ】
2006313537.tif 000009
【図７Ｂ】
2006313537.tif 000010
【図８Ａ】
2006313537.tif 000011
【図８Ｂ】
2006313537.tif 000012
【図９】
2006313537.tif 000013
【図１０Ａ】
2006313537.tif 000014
【図１０Ｂ】
2006313537.tif 000015
【図１１】
2006313537.tif 000016
【図１２】
2006313537.tif 000017